【事件の表示】
　平成　９年特許願第２７９８０３号「回転式円筒研磨ブラシ」拒絶査定に対する審判事件［平成１１年４月１３日出願公開、特開平１１−９９４８１］について、次のとおり審決する。
【結　論】
　本件審判の請求は、成り立たない。
【理　由】
１．手続の経緯・本願発明
　本願は、平成９年９月２６日の出願であって、その請求項１〜２に係る発明は、平成１４年７月１日付手続補正書で補正された明細書並びに図面からみて、特許請求の範囲の請求項１〜２に記載された次の事項により特定されるとおりのものと認められるところ、その請求項１に係る発明（以下「本願発明」という。）は、下記のとおりである。
　「　【請求項１】直円筒状をなす円筒コア管の外周にブラシが装着され、回転動をもってワークに対する研磨作業をなす回転式円筒研磨ブラシにおいて、
　前記円筒コア管は、アルミ製の円筒状をなす円筒基部と、前記円筒基部に外嵌される硬質合成樹脂製の外管とが接着固定されてなり、
　前記硬質合成樹脂製の外管に複数のブラシ植設孔が穿設され、該ブラシ植設孔のそれぞれにブラシ束が植設されるとともに、
　前記ブラシ植設孔は円孔をなすとともにその底部は頂角が９０°又は鋭角の逆円錐形に形成され、
　前記ブラシ束はその基部に線材の止め金具がその先端を突出して巻き懸けられて装着され、該止め金具の突出端を前記ブラシ植設孔の底部の傾斜面に沿って押し込んで前記外管内に食込み状に係合させてなる、
ことを特徴とする回転式円筒研磨ブラシ。」
２．引用例
　これに対して、原査定の拒絶の理由に引用された実願昭６１−５８８１号（実開昭６２−１２１０６４号）のマイクロフィルム（以下「引用例１」という。）には、次の事項が記載されている。
（１）　「軸方向に分割された軸半体を一体的に組み合わせてなる回転軸と、外周に不織布又はブラシ材を設けられ内周を前記軸半体の外周に当接して取付けられる中芯半体と、前記中芯半体を上記軸半体に取外し自在に固定する固定手段とよりなるロール。」（実用新案登録請求の範囲）
（２）　「従来の技術
　一般に使用されているロールは大別して軸方向に分割された一対のロール半体を組み合わせてなる半割式のロールと、中空円筒状のロールとの２種類がある。また、このようなロールの用途としては、例えば丸括弧１研磨，丸括弧２洗浄，丸括弧３研削等がある。」（明細書第１頁第１７行〜第２頁第２行）
（３）　「　実施例
　第１図及び第２図に本考案になるロールの第１実施例を示す。両図中、ロール１はプリント基板（図示せず）等の表面を研磨する装置の回転軸２に取付けられて使用される。ロール１は軸方向に沿って分割しうる一対のロール半体３，４を組み合せてなる。
　第３図に示す如く、一方のロール半体３は回転軸２に直接固定される軸半体５と、軸半体５に取り外し自在に固定された中芯半体６と、中芯半体６の外周に接着された不織布７とよりなる。なお、他方のロール半体４は上記構成のロール半体３と同様に軸半体８，中芯半体９，不織布１０とより構成されているので、その説明は省略する。」（明細書第４頁第１２行〜第５頁第５行）
（４）　「軸半体５はアルミニウム製で、断面円弧形状の中央部５ａの両端に固定部５ｂ，５ｂを有し、その中央部５ａの内周に凹部５ｃを有する。また、固定部５ｂ，５ｂには軸半体５を回転軸２に取付けるネジ１１を挿通する孔５ｄが穿設されている。また、中央部５ａは外周より内周の凹部５ｃに貫通する貫通孔５ｅ１〜５ｅ４を有する。貫通孔５ｅ１〜ｅ４は中央部５ａの両周縁部近傍に設けられ、長手方向に沿って所定間隔ごとに設けられている。」（明細書第５頁第６〜１５行）
（５）　「中芯半体６は合成樹脂により成型されており、軸半体５の中央部５ａの外周に嵌合しうる内周６ａを有する。また、中芯半体６には内周６ａより外周に貫通するネジ孔６ｂ１〜６ｂ４が設けられている。なお、中芯半体６の各ネジ孔６ｂ１〜６ｂ４は軸半体５の各貫通孔５ｅ１〜５ｅ４に対向しうる間隔で設けてある。不織布７は断面が円弧状で、内周７ａを中芯半体６の外周に嵌合させた状態で接着固定されている。」（明細書第５頁第１６行〜第６頁第４行）
（６）　「次に、不織布７を一体的に固定された中芯半体６を装置の回転軸２に取り付ける際につき説明する。まず、中芯半体６の外周に不織布７を接着固定した状態のものを用意する。第４図に示すように軸半体５の中央部５ａの外周に上記不織布７を接着固定された中芯半体６の内周６ａを当接させる。次にネジ１２を軸半体５の周縁部両側の凹部５ｃ側より貫通孔５ｅ１〜５ｅ４に挿入し中芯半体６のネジ孔６ｂ１〜６ｂ４に螺入する。このため、中芯半体６は周縁部両側を８本のネジ１２により軸半体５の中央部５ａの外周に強固に固定される。なお、他の軸半体８にも上記と同様に不織布１０を接着された中芯半体８をネジ止めする。このようにして組付けられたロール半体３，４を第１図及び第２図に示す如く、回転軸２を介在させて互いに対向させる。そして、ネジ１１を固定部５ｂの孔５ｄより挿入し回転軸２の孔２ａを挿通させて軸半体８のネジ孔８ａに螺合させる。
　したがって、一対のロール半体３，４はネジ１１をその両端の固定部５ｂ，８ｂに締付けることにより回転軸２に固定される。なお、ネジ１２の頭部が軸半体５，８の凹部５ｃ、８ｃより突出しているが回転軸２に当接するおそれはない。　また、不織布７（１０）が摩耗したときは、一旦ネジ１１を緩めてロール半体３，４を回転軸２より取り外す。そして、ネジ１２を緩めて中芯半体６（９）を摩耗した不織布７（１０）と共に軸半体５（８）より外す。」（明細書第６頁第５行〜第７頁第１２行）
（７）　「なお、上記説明では不織布を用いて説明したがこれに限らず、例えば中芯半体にブラシ材を植毛させ、ブラシ材が摩耗すると中芯半体と共にブラシ材を交換するようにしても良い。また、材質の異なるブラシ材を複数種用意しておけば、多くの用途にも即座に対応できるようにブラシ材の種類を変えることが容易にできる。この場合も一組の軸半体があれば良いため、ユーザの経済的な負担は小さい。」（明細書第９頁第１６行〜第１０頁第４行）
（８）　「　考案の効果
　上述の如く、本考案になるロールは例えば従来の如く、高価なアルミ製の軸半体を再生するためにメーカが摩耗した不織布あるいはブラシ材の軸半体を回収したり、また回収した軸半体より接着された不織布をはがして新品の不織布を接着した後これをユーザに配達するといった多大な労力を省くことができ、しかもユーザはロールが再生される間仕事を長時間中断したり、あるいは高価な軸半体を複数本容易しておくといった不都合を無くすことができ、作業能率の低下を防止できると共に経済的である。さらに、表面の荒さ、硬さ、弾力性等の異なる複数種の不織布あるいはブラシ材を用意しておけばその用途に応じたロールに速やかに交換することができ、多品種の製造工程にも容易に対応できる等の特長を有する。」（明細書第１０頁第５〜２０行）
（９）　上記（５）及び（６）に記載の中芯半体は、ネジ１２により回転軸に固定されるものであるから、その合成樹脂の材質は硬質であると認められる。
　上記（１）〜（９）の記載事項より引用例１には次の発明が記載されていると認められる。
　「直円筒状をなす軸半体と中芯半体の外周にブラシが装着され、回転動をもってワークに対する研磨作業をなす回転式円筒研磨ブラシにおいて、
　前記軸半体と中芯半体は、アルミ製の円筒状をなす軸半体と、前記軸半体に外嵌される硬質合成樹脂製の中芯半体とがネジ固定されてなり、
　前記硬質合成樹脂製の中芯半体にブラシを植毛した回転式円筒研磨ブラシ。」
　また、同じく原査定の拒絶の理由に引用された特開昭６１−２６５１０４号公報（以下「引用例２」という。）には、次の事項が記載されている。
（１０）　「以下、本発明の一実施例を図面に基づき説明すると、図中１はローラ本体、２は植設孔、３は植設孔２に植設される刷毛である。
　ローラ本体１は木材、合成樹脂材等によって丸軸に形成され、そのローラ本体１の外周に軸芯方向及び周方向に適宜間隔をおき、軸芯Ｏに沿った一方向及び周方向の夫々所定角度だけ傾斜させて植設孔２が穿設され、その植設孔２に刷毛３が嵌挿着固定されてローラ本体１外に適宜長さ延長突出される。」（第２頁右上欄第１２行〜左下欄第１行）
（１１）　「ローラ本体１に傾斜穿設した植設孔２に対する刷毛３の嵌挿着固定は、植設孔２に刷毛３を嵌挿すると共に、植設孔２に接着剤４を流し込んで固着したり（第２図）、・・・・・・・又は必要長さの倍の長さを有した刷毛３’をＵ字形に半折し、これを植設孔２に嵌合して止め針６で固着する形態（第４図）等、何れでも良いものである。」（第２頁左下欄第７〜１６行）
　上記（１０）〜（１１）の記載事項より引用例２には次の点の技術事項が記載されていると認められる。
　「合成樹脂製の部材であるローラ本体に、複数の円孔をなす植設孔が穿設され、その植設孔に刷毛が植設され、Ｕ字形とされた刷毛は、その基部を止め針の突出端を植設孔の底部に押し込んでローラ本体内に、食い込み状に係合させる」点。
３．対比・判断
　本願発明（前者）と引用例１に記載された発明（後者）を対比すると、後者の「軸半体と中芯半体」、「軸半体」、及び「中芯半体」が、前者の「円筒コア管」、「円筒基部」、「外管」にそれぞれ相当している。そして、両者は、次の構成で一致している。
　直円筒状をなす円筒コア管の外周にブラシが装着され、回転動をもってワークに対する研磨作業をなす回転式円筒研磨ブラシにおいて、前記円筒コア管は、アルミ製の円筒状をなす円筒基部と、前記円筒基部に外嵌される硬質合成樹脂製の外管とが固定されてなり、前記硬質合成樹脂製の外管にブラシが植設された、回転式円筒研磨ブラシ。
　しかし、両者は、次の点で相違している。
Ａ　円筒基部と外管とが、前者は、接着固定されているのに対して、後者は、ネジ固定されている点。（相違点１）
Ｂ　硬質合成樹脂製の外管にブラシを植設する構成が、前者は、「複数のブラシ植設孔が穿設され、該ブラシ植設孔のそれぞれにブラシ束が植設されるとともに、前記ブラシ植設孔は円孔をなすとともにその底部は頂角が９０°又は鋭角の逆円錐形に形成され、前記ブラシ束はその基部に線材の止め金具がその先端を突出して巻き懸けられて装着され、該止め金具の突出端を前記ブラシ植設孔の底部の傾斜面に沿って押し込んで前記外管内に食込み状に係合させてなる」のに対して、後者は、この構成が不明である点。（相違点２）
　そこで、上記相違点を検討するに、相違点１については、固定手段としてネジによる固定も接着による固定も周知であり、後者のネジによる固定を、前者の如く接着による固定とすることは、当業者であれば適宜なし得る程度のものと認められる。
　相違点２については、ブラシの植毛方法として、植毛する部材に円孔を、その底部を逆円錐形となるように穿孔し、ブラシ束を二つ折に折り曲げ、その折り曲げ部にワ字形の止め金具を掛け、該止め金具を上記円孔の底部の傾斜面に沿って押し込んで、植毛する部材に止め金具の先端部を交叉状に食い込ませて植毛することが周知技術（例えば実公昭２８−１１７３号公報参照）である。そして、後者に、引用例１記載の発明と同一技術分野に属するブラシロールに関する引用例２の技術事項の「合成樹脂製の部材であるローラ本体に、複数の円孔をなす植設孔が穿設され、その植設孔に刷毛が植設され、Ｕ字形とされた刷毛は、その基部を止め針の突出端を植設孔の底部に押し込んでローラ本体内に、食い込み状に係合させる」点、言い換えると、「合成樹脂製の部材であるローラ本体に、複数の円孔をなす植設孔が穿設され、その植設孔にブラシ束が植設され、Ｕ字形とされたブラシ束は、その基部を止め金具の突出端を植設孔の底部に押し込んでローラ本体内に、食い込み状に係合させる」点を適用するにあたり、上記ブラシの植毛方法の周知技術を施し、この際に、止め金具先端部を交叉状となるように、円孔の底部の逆円錐形の角度を適宜決定して、この相違点における前者の構成の如くすることは、当業者であれば容易になし得るものと認める。
４．むすび
　したがって、本願発明は、引用例１、引用例２に記載された発明及び前記周知例にみられる周知技術に基づいて当業者が容易に発明をすることができたものと認められ、特許法第２９条第２項の規定により特許を受けることができない。
　よって、本願の請求項２に係る発明について検討するまでもなく、結論のとおり審決する。